(57)【要約】  有害成分又は悪臭成分をこれらを含む材料から除去するための組成物であって、前記組成物は、以下の成分：両性化合物、溶媒、酸、酸の塩、及びその組み合わせからなる群から選択される化合物、及び水を含み、前記各成分の相対存在量が前記有害成分又は前記悪臭成分を望ましく除去するのに十分である、組成物。組成物を、抗菌薬、殺生剤、減煙剤として使用することができ、かつ生分解性を示す。【選択図】なし【特許請求の範囲】
【請求項１】
有害成分又は悪臭成分をこれらを含む材料から除去するための組成物であって、前記組成物は、以下の成分：
両性化合物、
有機溶媒、
酸、酸の塩、及びその組み合わせからなる群から選択される化合物、及び
水
を含み、
前記各成分の相対存在量が前記有害成分又は前記悪臭成分を望ましく除去するのに十分である組成物。
【請求項２】
前記両性化合物が両性界面活性剤である請求項１記載の組成物。
【請求項３】
前記両性化合物が、アルキル側鎖又は長鎖脂肪酸を有する直鎖の長鎖脂肪族系酸である請求項１記載の組成物。
【請求項４】
前記両性化合物が、アルキルベタイン、アミドプロピルベタイン、アミドプロピルスルタイン、及びその組み合わせからなる群から選択される請求項１記載の組成物。
【請求項５】
前記両性化合物がコカミドプロピルベタインである請求項１記載の組成物。
【請求項６】
前記コカミドプロピルジメチルベタインが、約５．０質量％〜約２５質量％の量で存在する請求項３記載の組成物。
【請求項７】
ラウリルエトキシ硫酸ナトリウムが、約０．０５質量％〜約２０質量％の濃度で存在する請求項６記載の組成物。
【請求項８】
前記有機酸が、約０．１質量％〜５．０質量％の量で存在する請求項１記載の組成物。
【請求項９】
前記有機酸の塩が、７．５質量％までの量で存在する請求項１記載の組成物。
【請求項１０】
前記水が、約４７．０質量％〜９４．０質量％の量で存在する請求項１記載の組成物。
【請求項１１】
前記有機溶媒がラウリルエトキシ硫酸ナトリウムである請求項１記載の組成物。
【請求項１２】
前記酸が有機酸である請求項１記載の組成物。
【請求項１３】
前記有機酸がヒドロキシ酸である請求項９記載の組成物。
【請求項１４】
前記酸がクエン際である請求項９記載の組成物。
【請求項１５】
前記酸がヒドロキシクエン酸である請求項９記載の組成物。
【請求項１６】
前記クエン酸が、約０．１質量％〜約５質量％の濃度で存在する請求項１１記載の組成物。
【請求項１７】
前記塩が有機酸の塩である請求項１記載の組成物。
【請求項１８】
前記塩がヒドロキシ酸の塩である請求項１記載の組成物。
【請求項１９】
前記塩がクエン酸ナトリウムである請求項１記載の組成物。
【請求項２０】
前記クエン酸ナトリウムが、約０．１質量％〜約５質量％の濃度で存在する請求項１５記載の組成物。
【請求項２１】
前記酸がクエン酸であり、前記塩がクエン酸ナトリウムである請求項１記載の組成物。
【請求項２２】
前記両性化合物がコカミドプロピルジメチルベタインであり、前記有機溶媒がラウリルエトキシ硫酸ナトリウムであり、前記酸がクエン酸であり、前記塩がクエン酸ナトリウムである請求項１記載の組成物。
【請求項２３】
前記コカミドプロピルジメチルベタインが約４．５質量％〜約２５質量％の量で存在し、前記ラウリルエトキシ硫酸ナトリウムが約０．５質量％〜約１０．８質量％の量で存在し、前記クエン酸が約０．１質量％〜約５質量％の量で存在し、前記クエン酸ナトリウムが約０．０質量％〜約３．０質量％の量で存在し、前記水が８１％〜１０％の量で存在する請求項２２記載の組成物。
【請求項２４】
殺生剤を更に含む請求項２２又は２３記載の組成物。
【請求項２５】
抗菌薬を更に含む請求項２２又は２３記載の組成物。
【請求項２６】
殺生剤及び抗菌薬を更に含み、これらがそれぞれ互に異なる請求項２２又は２３記載の組成物。
【請求項２７】
前記殺生剤がイソチアゾリノンからなる群から選択される請求項２０記載の組成物。
【請求項２８】
前記殺生剤が、２−メチル−４−イソチアゾリン−３−オン、１，２−ベンズイソチアゾリン、及びこれらから合成された誘導体からなる群から選択される請求項２７記載の組成物。
【請求項２９】
トリクロサンを更に含む請求項１記載の組成物。
【請求項３０】
前記トリクロサンが抗菌有効量で存在する請求項２９記載の組成物。
【請求項３１】
少なくとも０．１質量％の量で重フッ化アンモニウムを更に含む請求項１記載の組成物。
【請求項３２】
少なくも０．２質量％の量でリン酸を更に含む請求項１記載の組成物。
【請求項３３】
少なくとも０．１質量％の量の重フッ化アンモニウム及び少なくとも０．２質量％の量のリン酸を更に含む請求項１記載の組成物。
【請求項３４】
ラウリルジメチルアミンオキシドを含む請求項３２記載の組成物。
【請求項３５】
四ホウ酸ナトリウム十水和物を更に含む請求項１記載の組成物。
【請求項３６】
前記四ホウ酸ナトリウム十水和物の量が約４．０質量％〜１６．０質量％の範囲である請求項３５記載の組成物。
【請求項３７】
アルカノールアミンを更に含む請求項１記載の組成物。
【請求項３８】
前記アルカノールアミンがモノアルカノールアミンである請求項３６記載の組成物。
【請求項３９】
前記アルカノールアミンのアルカノール部分が１〜５個の炭素原子を含む請求項３６記載の組成物。
【請求項４０】
前記アルカノールアミンがモノエタノールアミンである請求項１記載の組成物。
【請求項４１】
前記アルカノールアミンの量が約０．５質量％〜３５．０質量％である請求項３６記載の組成物。
【請求項４２】
以下の化合物：
ＣＡＢ                  １５％
ＳＬＥＳ                ６．７５
クエン酸                ０．５
クエン酸ナトリウム      ０．７５
殺生剤
及び／又は
抗菌薬                  ０．５
水                      ７６．５０
を含む組成物。
【請求項４３】
以下の成分：
ＣＡＢ                  １２％
ＳＬＥＳ                ５．４％
クエン酸                ０．４％
重フッ化アンモニウム    ２．４％
リン酸                  ５．０％
ＬＤＡＯ                ０．４％
水                      ７４．４％、及び
トリクロサン            ２．２％
を含む組成物。
【請求項４４】
以下：
ＣＡＢ                  １０．３％
ＳＬＥＳ                ４．６４％
クエン酸                ０．３４％
クエン酸ナトリウム      ０．５１％
殺生剤及び／又は
抗菌薬                  ０．５％
四ホウ酸ナトリウム十水和物  １１．９％
ＭＥＡ                  １１．９％
水                      ５９．９１％
を含む組成物。
【請求項４５】
以下：
ＣＡＢ                  １３．５％
ＳＬＥＳ                ６．０７％
クエン酸                １．４５％
クエン酸ナトリウム      ０．６７５％
殺生剤及び／又は
抗菌薬                  ０．５％
水                      ７７．８％
を含む組成物。
【請求項４６】
有害成分又は悪臭成分をこれらを含む材料から除去する方法であって、前記材料を抗有害有効量又は抗悪臭有効量の請求項１記載の組成物で処理する工程を含む方法。
【請求項４７】
有害成分又は悪臭成分をこれらを含む材料から除去する方法であって、前記材料を抗有害有効量又は抗悪臭有効量の請求項２３記載の組成物で処理する工程を含む方法。
【請求項４８】
有害成分又は悪臭成分をこれらを含む材料から除去する方法であって、前記材料を抗有害有効量又は抗悪臭有効量の請求項４２記載の組成物で処理する工程を含む方法。
【請求項４９】
有害成分又は悪臭成分をこれらを含む材料から除去する方法であって、前記材料を抗有害有効量又は抗悪臭有効量の請求項４３記載の組成物で処理する工程を含む方法。
【請求項５０】
有害成分又は悪臭成分をこれらを含む材料から除去する方法であって、前記材料を抗有害有効量又は抗悪臭有効量の請求項４４記載の組成物で処理する工程を含む方法。
【請求項５１】
有害成分又は悪臭成分をこれらを含む材料から除去する方法であって、前記材料を抗有害有効量又は抗悪臭有効量の請求項４５記載の組成物で処理する工程を含む方法。
【請求項５２】
微生物を減少又は死滅させる方法であって、抗菌有効量の請求項４３記載の組成物を微生物に適用する工程を含む方法。
【請求項５３】
前記材料が、気体、固体、部分的固体、及び液体からなる群から選択される請求項４６〜請求項５２のいずれか１項に記載の方法。
【請求項５４】
前記微生物が気体、液体、又は固体に存在する請求項５２記載の方法。
【請求項５５】
ａ．ＣＡＢとラウリルエトキシ硫酸ナトリウムとを穏やかに振とうしながら混合する工程と、
ｂ．クエン酸、クエン酸ナトリウム、抗菌薬／殺生剤を個別に混合する工程と、
ｃ．工程ｂ由来の混合物を工程ａ由来の混合物を穏やかに撹拌しながら添加する工程と
を含む請求項４２記載の組成物の作製方法。
【請求項５６】
ａ．ＣＡＢとラウリルエトキシ硫酸ナトリウムとを穏やかに振とうしながら混合する工程と、
ｂ．水を約６０℃に加熱し、四ホウ酸ナトリウム十水和物を加熱した前記水に添加し、完全に溶解させる工程と、
ｃ．クエン酸、クエン酸ナトリウム、抗菌薬／殺生剤を個別に混合する工程と、
ｄ．工程ｃ由来の混合物を工程ｂ由来の混合物に穏やかに撹拌しながら添加する工程と、
ｅ．工程ｂ由来の混合物を工程ｄ由来の混合物に穏やかに撹拌しながら添加する工程と、
ｆ．モノエタノールアミンを工程ｅの混合物に穏やかに撹拌しながら添加する工程と
を含む請求項４４記載の組成物の作製方法。
【請求項５７】
ａ．ＣＡＢとラウリルエトキシ硫酸ナトリウムとを穏やかに振とうしながら混合する工程と、
ｂ．クエン酸、クエン酸ナトリウム、抗菌薬／殺生剤を個別に混合する工程と、
ｃ．重フッ化アンモニウムと水とを混合し、溶解する場合、リン酸（８５％）及びラウリルジメチルアミンオキシド中で混合する工程と、
ｄ．工程ａ由来の混合物を工程ｂ由来の混合物に穏やかに撹拌しながら添加する工程と、前記混合物の粘度が高くなり、ゲル状になることと、
ｅ．工程ｃ由来の混合物を工程ｃ由来の混合物に穏やかに撹拌しながらゆっくり添加する工程と
を含む請求項４３記載の組成物の作製方法。
【請求項５８】
ａ．ＣＡＢとラウリルエトキシ硫酸ナトリウムとを穏やかに振とうしながら混合する工程と、
ｂ．乾燥成分が溶解するまで、クエン酸、クエン酸ナトリウム、及び水を個別に混合する工程と、
ｃ．工程ｂ由来の混合物を工程ａ由来の混合物に穏やかに撹拌しながらゆっくり添加する工程と
を含む請求項４５記載の組成物の作製方法。
【請求項５９】
有害成分又は悪臭成分をこれらを含む材料から除去する方法であって、以下の工程：
有害又は悪臭軽減組成物を水と混合する工程と、
有害成分又は悪臭成分をこれらを含む材料から除去するための有効量の組成物が与えられるように前記組成物を前記材料上の大気に霧状化又は噴射して有害ガス又は悪臭ガスと接触させる工程と
を含む方法。
【請求項６０】
前記有害又は悪臭を軽減する組成物の有効量が、１ｍ３の空気当たり少なくとも約０．００２ｇである請求項５９記載の方法。
【請求項６１】
前記悪臭ガスが酸性ガスである請求項５９記載の方法。
【請求項６２】
前記悪臭ガスがアルカリ性ガスである請求項５９記載の方法。
【請求項６３】
前記悪臭ガスがアルデヒド又はケトンである請求項５９記載の方法。
【請求項６４】
禽舎内部環境下における悪臭を制御する方法であって、悪臭ガスに接触させるために、請求項４４又は４５記載の組成物を前記禽舎の大気に噴霧するか、有効量の前記組成物が与えられるように悪臭生成材料に前記組成物を適用する工程を含む方法。
【請求項６５】
動物の放牧場由来の有害成分又は悪臭成分を減少させる方法であって、悪臭ガスに接触させるために、請求項４４又は４５記載の組成物を前記動物の放牧場上の大気に噴霧するか、有効量の前記組成物が与えられるように悪臭生成材料に前記組成物を適用する工程を含む方法。
【請求項６６】
畜舎外部の糞尿及び臭気を制御する方法であって、悪臭ガスに接触させるために、請求項４４又は４５記載の組成物を前記畜舎の大気に噴霧するか、有効量の前記組成物が与えられるように悪臭生成材料に前記組成物を適用する工程を含む方法。
【請求項６７】
豚舎内部環境を制御する方法であって、悪臭ガスに接触させるために、請求項４４又は４５記載の組成物を前記豚舎上の大気に噴霧するか、有効量の前記組成物が与えられるように悪臭生成材料に前記組成物を適用する工程を含む方法。
【請求項６８】
豚舎外部環境を制御する方法であって、悪臭ガスに接触させるために、請求項４４又は４５記載の組成物を前記豚舎上の大気に噴霧するか、有効量の前記組成物が与えられるように悪臭生成材料に前記組成物を適用する工程を含む方法。
【請求項６９】
牛舎環境を制御する方法であって、悪臭ガスに接触させるために、請求項４４又は４５記載の組成物を前記牛舎の大気に噴霧するか、有効量の前記組成物が与えられるように悪臭生成材料に前記組成物を適用する工程を含む方法。
【請求項７０】
搾乳場の汚水を制御する方法であって、悪臭ガスに接触させるために、請求項４４又は４５記載の組成物を池上の大気に噴霧するか、有効量の前記組成物が与えられるように悪臭生成材料に前記組成物を適用する工程を含む方法。
【請求項７１】
環境製品中の汚染物質を除去する方法であって、悪臭ガスに接触させるために、請求項４４又は４５記載の組成物を前記製品上の大気に噴霧するか、有効量の前記組成物が与えられるように悪臭生成材料に前記組成物を適用する工程を含む方法。
【請求項７２】
工業製品の汚染物質を除去する方法であって、悪臭ガスに接触させるために、請求項４４又は４５記載の組成物を前記製品上の大気に噴霧するか、有効量の前記組成物が与えられるように悪臭生成材料に前記組成物を適用する工程を含む方法。
【請求項７３】
重工業の排ガスを制御する方法であって、悪臭ガスに接触させるために、請求項４４又は４５記載の組成物を前記排ガスに噴霧するか、有効量の前記組成物が与えられるように悪臭生成材料に前記組成物を適用する工程を含む方法。
【請求項７４】
臓物、動物飼料精製工場、及び精肉工場の廃物の放出物を制御する方法であって、悪臭ガスに接触させるために、請求項４４又は４５記載の組成物を大気中に噴霧するか、有効量の前記組成物が与えられるように悪臭生成材料に前記組成物を適用する工程を含む方法。
【請求項７５】
パルプ工場及び製紙工場の外部浸漬池及び酸化池の臭気を制御する方法であって、悪臭ガスに接触させるために、請求項４４又は４５記載の組成物を前記池上の大気中に噴霧するか、有効量の前記組成物が与えられるように悪臭生成材料に前記組成物を適用する工程を含む方法。
【請求項７６】
食品工場及び缶詰工場の外部処理池を制御する方法であって、悪臭ガスに接触させるために、請求項４４又は４５記載の組成物を前記池上の大気中に噴霧するか、有効量の前記組成物が与えられるように悪臭生成材料に前記組成物を適用する工程を含む方法。
【請求項７７】
食品工場及び缶詰工場の臭気放出物を制御する方法であって、前記工場の悪臭ガスに接触させるために、請求項４４又は４５記載の組成物を前記放出物に噴霧するか、有効量の前記組成物が与えられるように悪臭生成材料に前記組成物を適用する工程を含む方法。
【請求項７８】
大規模歩行者専用道路区域の放出物を制御する方法であって、悪臭ガスに接触させるために、請求項４４又は４５記載の組成物を前記区域上の大気中に噴霧するか、有効量の前記組成物が与えられるように悪臭生成材料に前記組成物を適用する工程を含む方法。
【請求項７９】
微生物及び毒素の除去を制御する方法であって、悪臭ガスに接触させるために、請求項４３記載の組成物を前記微生物、病原体、又は毒素を含む大気中に噴霧するか、有効量の前記組成物が与えられるように悪臭生成材料に前記組成物を適用する工程を含む方法。
【請求項８０】
空調機器の微生物を制御する方法であって、悪臭ガスに接触させるために、請求項４３記載の組成物を前記空調機器の大気中に噴霧するか、有効量の前記組成物が与えられるように悪臭生成材料に前記組成物を適用する工程を含む方法。
【請求項８１】
微生物及び毒素の除去を制御する方法であって、悪臭ガスに接触させるために、請求項４３記載の組成物を大気中に噴霧するか、有効量の前記組成物が与えられるように悪臭生成材料に前記組成物を適用する工程を含む方法。
【請求項８２】
織物を無微生物及び無臭にする方法であって、請求項４３記載の組成物を、有効量の前記組成物が与えられるように前記織物上の悪臭生成材料に適用する工程を含む方法。
【請求項８３】
フィルタから化学物質、微生物、及び粒子状物質を除去する方法であって、請求項４３記載の組成物を、有効量の前記組成物が与えられるようにフィルタ上の悪臭生成材料に適用する工程を含む方法。
【請求項８４】
食品加工工場の微生物を除去する方法であって、悪臭ガスに接触させるために、請求項４３記載の組成物を前記工場の大気中に噴霧するか、有効量の前記組成物が与えられるように悪臭生成材料に前記組成物を適用する工程を含む方法。
【請求項８５】
国境地帯のバイオセキュリティを制御する方法であって、悪臭ガスに接触させるために、請求項４３記載の組成物を前記国境の大気中に噴霧するか、有効量の前記組成物が与えられるように前記国境地帯の悪臭生成材料に前記組成物を適用する工程を含む方法。
【請求項８６】
空港及び海港の微生物を除去する方法であって、悪臭ガスに接触させるために、請求項４３記載の組成物を前記空港又は海港の大気中に噴霧するか、有効量の前記組成物が与えられるように悪臭生成材料に前記組成物を適用する工程を含む方法。
【請求項８７】
地下鉄の空気再循環においてＣＯ２、Ｈ２Ｓ、及びＣＯを除去する方法であって、請求項４３記載の組成物を、有効量の前記組成物が与えられるように再循環した空気に噴霧する工程を含む方法。
【請求項８８】
公共交通車両の空調設備から微生物を除去する方法であって請求項４３記載の組成物を、有効量の前記組成物が与えられるように前記車両の大気に噴霧する工程を含む方法。
【請求項８９】
病院の表面、装置、及び施設から微生物を除去する方法であって請求項４３記載の組成物を、有効量の前記組成物が与えられるように前記病院の大気に噴霧する工程を含む方法。
【請求項９０】
食品加工工場の微生物、藻類、及び臭気を除去する方法であって、悪臭ガスに接触させるために請求項４３記載の組成物を大気中に噴霧するか、有効量の前記組成物が与えられるように悪臭生成材料に前記組成物を適用する工程を含む方法。
【請求項９１】
仮設トイレ由来の微生物及び臭気を除去する方法であって、悪臭ガスに接触させるために請求項４３記載の組成物を大気中に噴霧するか、有効量の前記組成物が与えられるように悪臭生成材料に前記組成物を適用する工程を含む方法。
【請求項９２】
発生したカビを除去する方法であって、請求項４３記載の組成物を、有効量の前記組成物が与えられるように前記カビ上の大気に噴霧する工程を含む方法。
【請求項９３】
発生したカビ及び酵母を除去する方法であって、前記酵母及びカビに接触させるために、請求項４３記載の組成物を、有効量の前記組成物が与えられるように大気に噴霧する工程を含む方法。
【請求項９４】
カーペットのカビを除去及び防止する方法であって、悪臭ガスに接触させるために請求項４３記載の組成物を大気中に噴霧するか、有効量の前記組成物が与えられるように悪臭生成材料に前記組成物を適用する工程を含む方法。
【請求項９５】
人造壁板製品のカビを除去する方法であって、悪臭ガスに接触させるために請求項４３記載の組成物を大気中に噴霧するか、有効量の前記組成物が与えられるように悪臭生成材料に前記組成物を適用する工程を含む方法。
【請求項９６】
医療用及び個人の医療製品の感染症及び微生物を防止及び除去する方法であって、請求項４３記載の組成物を、有効量の前記組成物が与えられるように前記製品上の大気に噴霧する工程を含む方法。
【請求項９７】
前記医療用及び個人の医療製品が、タンポン及び生理用ナプキンである請求項９６記載の方法。
【請求項９８】
微生物及び高齢者介護及び生活環境の臭気を除去する方法であって、請求項４３記載の組成物を、有効量の前記組成物が与えられるように大気に噴霧する工程を含む方法。
【請求項９９】
微生物及び痩造設術製品の臭気を除去する方法であって、請求項４３記載の組成物を、有効量の前記組成物が与えられるように前記痩造設術製品に噴霧する工程を含む方法。
【請求項１００】
抗生物兵器−化学兵器テロリスト及び戦争兵器の有害化学物質を除去する方法であって、前記化学物質に接触させるために、請求項４３記載の組成物を、有効量の前記組成物が与えられるように大気に噴霧する工程を含む方法。
【請求項１０１】
消費者用エアゾールキャニスタの使用によって臭気を除去する方法であって、悪臭ガスに接触させるために請求項４４又は４５記載の組成物を大気に噴霧するか、有効量の前記組成物が与えられるように悪臭生成材料に前記組成物を適用する工程を含む方法。
【請求項１０２】
生物的及び化学的除染洗浄物の有害な化学物質及び微生物を除去する方法であって、前記化学物質及び微生物に接触させるために、請求項４３記載の組成物を、有効量の前記組成物が与えられるように大気に噴霧する工程を含む方法。
【請求項１０３】
市販用の製品、応接製品、及びドライクリーニング製品の微生物及び臭気を除去する方法であって、悪臭ガスに接触させるために請求項４３記載の組成物を大気に噴霧するか、有効量の前記組成物が与えられるように悪臭生成材料に前記組成物を適用する工程を含む方法。
【請求項１０４】
消費者用エアゾールキャニスタの使用によって臭気を除去する方法であって、悪臭ガスに接触させるために請求項４３記載の組成物を大気に噴霧するか、有効量の前記組成物が与えられるように悪臭生成材料に前記組成物を適用する工程を含む方法。
【請求項１０５】
空気清浄ユニットの臭気を除去する方法であって、悪臭ガスに接触させるために請求項４３記載の組成物を大気に噴霧するか、有効量の前記組成物が与えられるように悪臭生成材料に前記組成物を適用する工程を含む方法。
【請求項１０６】
海老養殖場の微生物及び臭気を除去する方法であって、悪臭ガスに接触させるために請求項４３記載の組成物を大気に噴霧するか、有効量の前記組成物が与えられるように悪臭生成材料に前記組成物を適用する工程を含む方法。
【請求項１０７】
火災の臭気及び煙を除去する方法であって、悪臭ガスに接触させるために請求項４４又は４５記載の組成物を大気に噴霧するか、有効量の前記組成物が与えられるように悪臭生成材料に前記組成物を適用する工程を含む方法。
【請求項１０８】
火災及び煙に起因する臭気を除去又は軽減するする方法であって、悪臭ガスに接触させるために請求項４４又は４５記載の組成物を大気に噴霧するか、有効量の前記組成物が与えられるように悪臭生成材料に前記組成物を適用する工程を含む方法。
【請求項１０９】
火炎探知器が、火炎探知の際に、有効量の前記組成物が火炎及び煙の領域に放出されるようにプログラミングされている請求項１０８記載の方法。
【請求項１１０】
酵母及び糸状菌の成長を阻害又は停止させる方法であって、前記酵母及び糸状菌に接触させるために、請求項４３記載の組成物を、有効量の前記組成物が与えられるように大気に噴霧する工程を含む方法。
【請求項１１１】
一般的なペット臭を排除する方法であって、悪臭ガスに接触させるために請求項４４又は４５記載の組成物を大気に噴霧するか、有効量の前記組成物が与えられるように悪臭生成材料に前記組成物を適用する工程を含む方法。
【請求項１１２】
口臭を制御する方法であって、請求項４４又は４５記載の組成物を口腔に適用する工程を含む方法。
【請求項１１３】
有機生活臭を排除する方法であって、悪臭ガスに接触させるために請求項４４又は４５記載の組成物を家の大気に噴霧するか、有効量の前記組成物が与えられるように悪臭生成材料に前記組成物を適用する工程を含む方法。
【請求項１１４】
噴霧式ディスペンサ中に請求項４４又は４５記載の組成物を含む製品。
【請求項１１５】
前記噴霧式ディスペンサが室内の固定された位置に存在する請求項１１４記載の製品。
【請求項１１６】
前記噴霧式ディスペンサが、トイレに隣接して取り付けられ、ディスペンサによって噴霧が方向付けられる請求項１１４記載の製品。
【請求項１１７】
有効量の前記組成物が扉作動時に放出されるような機構を自動防火扉システムが組み込んでいる請求項１０８記載の方法。
【請求項１１８】
火煙検出デバイスであって、検出器が作動した場合に噴霧式ディスペンサも作動して前記組成物を放出するように検出器に作動的に接続された請求項１１４記載の噴霧式ディスペンサを含む、火煙検出デバイス。
【発明の詳細な説明】
【技術分野】
【０００１】
本出願は、２００４年３月３０日に提出された米国特許仮出願番号６０／５５７，５４４号の優先権を主張し、この仮出願の全てが本明細書中で参考として援用される。
【０００２】
本発明は、化学的調合物並びに悪臭及び有毒ガスの中和及び／又は脱臭並びに微生物駆除におけるその使用に関する。本発明は、更に化学的調合物の生成方法に関する。
【背景技術】
【０００３】
臭気及び微生物汚染の制御は重要な問題であり、適切な解決策はほとんどない。臭気の制御並びに有害及び有毒な物質の除去（気体、固体、粒子、及び液体ガスの中和）は、特に、ヒト及び動物の廃棄物処理分野で特に重要である。一般に、家庭内の小動物及びペット由来の固体廃棄物の処理を、排泄物を吸収するようにデザインされた動物用トイレ砂の使用によって行われる。しかし、何万頭もの動物が関与し得る商業規模の動物生産領域における悪臭の制御は大きな問題に達している。このような環境には、動物の糞及び他のバイオ廃棄物によって生成される臭気及び有毒ガスと有効に対処する破棄が容易で、環境に優しく、安価な解決策が必要である。
【０００４】
同様に、微生物成長の阻害又は微生物の完全な除去は、種々の家庭内、医療、公衆衛生、及び産業における状況で重要である。
【０００５】
望ましくない臭気を排除するための多数の従来の方法及び調合物は、悪臭をマスキングするための香料の使用を含む。しかし、このアプローチでは臭気は排除されず、実際には悪臭を助長し得る。
【０００６】
いくつかの以前のアプローチが悪臭を排除しようとしているが、これらは、酵素、細菌、又は遷移金属複合体を含む複雑な調合物の使用によって排除しようとしている。このような調合物は、しばしば高価であり、有効にするには特別な取り扱いが必要であり得る。
【発明の開示】
【０００７】
悪臭及び有毒ガスの中和及び／又は脱臭のための調合物及び方法が長い間必要とされている。従って、本発明の１つの態様は、臭気中和調合物を含む。特に、本発明は、動物の排泄物及び産業廃棄物に起因する望ましくない臭気及び有毒ガスの排除又は実質的減少に適する組成物及びその使用方法に関する。
【０００８】
更に、本発明は、前記調合物の合成及び使用方法に関する。
【０００９】
より詳細には、これらの利点及び性質は、両性化合物、及び、任意選択的に、酸及び塩の一方及び両方を含む組成物によって達成される。
【００１０】
更に、本発明の基本的調合物の修飾により、他の有用な性質（例えば、防腐性、抗菌性（例えば、抗菌性、抗ウイルス性、抗真菌性、抗胞子性（例えば、抗炭疽菌性）））を示す組成物を得ることができる。
【００１１】
本発明の組成物は、容易に生分解され、汚染性を示さず、腐食性を示さず、不燃性であり、化学的に安定である。この組成物は、ヒト、動物、無機物、植物に無害である。
【００１２】
本発明の組成物の作製及び使用方法並びにこれに関連する試験を以下に詳述する。
【発明を実施するための最良の形態】
【００１３】
気相への適用
大気への適用では、本発明の組成物の濃縮物を、最初に水と混合して所与の適用に適切な希釈率に処方する。次いで、この組成物を、有毒ガス及び有害ガスの放出源又は放出付近の大気に噴霧するか霧状化した。本発明の組成物の使用量の標準的な出発点は、１ｍ３の空気当たり０．００２ｇの本発明の組成物の濃縮物又は１０００ｍ３の空気当たり２ｇの本発明の組成物である。
【００１４】
本発明の組成物を使用して、ほぼ全てを排除するために大規模畜産経営体(confined animal feeding operations)(CAFO)などの密閉空間を「覆う」か、動物飼料精製工場などにおいて有毒物質及び有害物質が通過できないように閉鎖領域又は開放領域のいずれかを「遮る」ことができる。
【００１５】
大気に噴霧するか霧状化した場合、本発明の組成物は、即座に気体分子と化学複合体を形成する。分子レベルでは、目標とした気体分子が本発明の組成物の微小液滴と接触することが不可欠である。記載のように、実験室試験は、反応時間が一瞬であり、０．１秒未満で起こることを示した。接触時間を長くすることにより、気体分子の通常の分解速度が急速に加速される。
【００１６】
綿状沈殿(Flocculation)
本発明の組成物を高レベルの懸濁固体を含む液体（スラリーピット、酸化池、及び下水処理場）に適用した場合、本発明の組成物は、悪臭を劇的に減少させ、綿状沈殿及び綿状塊安定性を改善する。非常に増加した密度で回収された浮氷量が４倍増加した４倍の綿状沈殿の改善が報告されている。
【００１７】
臭気
臭気を排除したと主張するほとんどの製品は、強い香りの香料で臭気を覆おうとする単なる「マスキング剤」であり、他の製品は、いくつかの臭気型に効くが他の型には効かない単純な酸性溶液である。
【００１８】
悪臭の大部分は、以下の３つの大きなカテゴリーに分類される。
【００１９】
「酸性」ガス（硫化水素及び他の硫黄含有化合物など）は、一般に、メルカプタン（ｐＨ７未満）に分類される。
【００２０】
「アルカリ性」ガス（アンモニア及びアミン含有化合物など）。一般に、これらは、分解／腐敗から生成される臭気である（ｐＨ７超）。
【００２１】
最後の群は、アルデヒド及びケトンを含み、ｐＨの影響をほとんど受けないか全く受けない。この群の多くの化合物は、良い臭いに関連し、一般に、産業用香料及びパーソナルケア製品で使用される香水で見出される。
【００２２】
この群の多くの化合物は、アレルギー反応に関連する。アレルゲンに対する感受性は、工業世界での大きな問題となりつつあり、この問題は更に拡大しつつある。いくつかの起源が同定されており、以下に示す。
１．建築材料、塗料、プラスチック、内張り、建物の断熱材、及び電子装置の気体放出。
２．個人的使用及びパーソナルケア製品（石鹸、シャンプー、及び個人用体臭防止剤など）のための香料成分。
３．植物の花粉、カビ、及び酵母の胞子。
４．チリダニの糞などの昆虫の残骸
【００２３】
上記の１及び２で生成されるアレルギーの多くは、アルデヒド及びケトンである。
【００２４】
試験は、本発明の組成物が上記のクラス、より具体的に以下に列挙するクラスの臭気を除去することができることを示した。
【００２５】
【表１】
2008536662.tif 000002
【００２６】
【表２】
2008536662.tif 000003
【００２７】
タウリンは、上記の両方のカテゴリーに分類され、酸性硫黄含有活性基及びアミン活性基を含む酸性硫黄を有する。
【００２８】
コール酸は、名前が示すように酸性であるが、硫黄及びアミン基のいずれも含まない。
【００２９】
タウリン及びコール酸の両方は、医薬品製造における前駆体として使用した胆汁の誘導体である。
【００３０】
【表３】
2008536662.tif 000004
【００３１】
本発明の組成物の能力は、本発明の組成物を化学的に異常にする両端のｐＨで同時に作用することである。本発明の組成物は、化合物の排除に有効であり、ｐＨ７未満（酸性）、（ｐＨ７＝中性）、ｐＨ７超（アルカリ性）に効果がある。
【００３２】
本発明の組成物は、酸性雨の化学物質と反応する。
【００３３】
実験室試験及び現地試験は、本発明の組成物が一般的な大気汚染物質及び自動車、農業機器、及び工業原料によって生じる極めて微細な微粒子に有効であることを示す。結果として、本発明の組成物は、酸性雨を生じる広範なガスの除去に特に有効である。
【００３４】
【表４】
2008536662.tif 000005
【００３５】
図１に示すように、本発明の組成物は、１５秒間に９７％のＮＨ３を除去し、５分以内に１００％除去した。
【００３６】
二酸化硫黄（ＳＯ２）ガス
図２に示すように、本発明の組成物は、１５秒以内に１００％の二酸化硫黄を除去した。おそらく、接触時に１００％即座に除去されたであろう。
【００３７】
硫化水素は、空気よりも重い有毒ガスである。低濃度で、腐敗卵に類似の特徴的な臭気を有する。これは、肥料の嫌気性分解中に生成し、従って、ブタの生産及び下水処理場などで見出される深い穴に関連する。
【００３８】
推奨ＣＡＦＯレベルは、１０ｐｐｍ未満である。図３に示すように、本発明の組成物は、１５秒以内に８８％の硫化水素が除去され、４５秒未満に１００％排除された。
【００３９】
二酸化炭素は、公知の「温室効果」ガスである。温室効果は、上層大気中の高濃度の二酸化炭素及び他の汚染物質に起因し、これらが地球からの過剰な熱を宇宙に逃がすことができないことによって「ヒートブランケット」として作用する。
【００４０】
本発明の組成物は、二酸化炭素レベルを有効かつ有意に減少させる。
【００４１】
５０００〜１５，０００ｐｐｍの二酸化炭素レベルが、これらの畜舎で検出された。推奨最大レベルは、２５００ｐｐｍ未満である。
【００４２】
図４に示すように、本発明の組成物は、１０分間に７０％のＣＯ２を除去した。
【００４３】
一酸化炭素は、低濃度でさえも特に致死的なガスである。ガソリン燃焼機関から放出される主な有毒ガスである。
【００４４】
一酸化炭素は、禽舎及び豚舎で使用される無換気のプロパンガス又は天然ガスヒーターで不完全燃焼が起こる状況で問題であり得る。
【００４５】
図５に示すように、本発明の組成物は、１０分間に６６％のＣＯガスを除去した。
【００４６】
一般に、本発明は、悪臭及び有毒ガスの排除又は実質的な減少及び／又は排除に有効な組成物及びその使用及び生成方法に関する。
【００４７】
本発明は、酸性及びアルカリ性の臭気の両方に有効な希釈形態で使用する濃縮臭気排除物質に関する。この濃縮臭気排除物質は、動物及び有機起源の臭気に特に有効である。
【００４８】
本発明はまた、広範に、両性化合物、有機アルコール、及び、任意選択的に、酸及び塩の一方又は両方を含む中和組成物に関する。
【００４９】
本発明の調合物は、好ましくは、両性界面活性剤である両性化合物を含むことが好ましい。両性化合物は、例えば、アルキル側鎖又は長鎖脂肪酸を有する直鎖の長鎖脂肪族系酸であり得る。このような化合物の例には、アルキルベタイン、アミドプロピルベタイン、アミドプロピルスルタイン、及びその組み合わせが含まれる。本発明での使用に特に好ましい両性化合物は、コカミドプロピルベタインである。更に、調合物に有機アルコールが含まれることが好ましい。側鎖を有するナローカット系及びワイドカット系のアルコールを、本発明の文脈内で使用することができる。従って、第一級アルコール、第二級アルコール、若しくはエトキシアルコール又はその塩を使用することができる。例えば、伝統的には陰イオン界面活性剤と見なされるが、ラウリルエトキシ硫酸ナトリウムを、アルコールとして調合物中に含めることができる。
【００５０】
調合物は、有機酸、望ましくは、ヒドロキシ酸も含み得る。ヒドロキシ酸の例には、クエン酸、マレイン酸、コハク酸、プロペン酸、グリコール酸、酢酸、乳酸、及び酒石酸が含まれる。有機酸の塩を構成する本発明の好ましい実施形態では、塩も調合物中に含めることが好ましい。好ましくは、使用される塩は、調合物中にも存在するヒドロキシ酸の塩である。特に好ましい実施形態では、クエン酸ナトリウム及びクエン酸は、本発明の調合物中に含まれ得る。
【００５１】
本発明の現在好ましい実施形態では、調合物は、特に、有効成分（コカミドプロピルジメチルベタインが含まれる）、ラウリルエトキシ硫酸ナトリウム、クエン酸、及びクエン酸ナトリウムの混合物を含み、調合物は、水性キャリア又は水などの希釈剤中に含まれる。
【００５２】
好ましくは、コカミドプロピルベタインは、約１０質量％と約２１質量％との間の濃度で存在する。コカミドプロピルベタインは、ＮＥＯＴＡＩＮＥ  ＣＬＧに有効成分として約３０質量％の量で存在する。
【００５３】
好ましくは、ラウリルエトキシ硫酸ナトリウム（Ｎｅｏｄｏｌ  ２５−３Ｓ．２７として）は、約１０質量％と約４０質量％との間の濃度で存在する。Ｎｅｏｄｏｌ  ２５−３Ｓ．２７中のラウリルエトキシ硫酸ナトリウム濃度は、約２６質量％である。
【００５４】
好ましくは、クエン酸は、約０．１質量％と約５質量％との間の濃度で存在する。
【００５５】
好ましくは、クエン酸ナトリウムは、約０．１質量％と約５質量％との間の濃度範囲で含まれる。
【００５６】
好ましくは、調合物のバランスは、水（約２２．５質量％）である。
【００５７】
コカミドプロピルベタインは、約１０質量％〜２５質量％の範囲で組成物中に存在する。ＮＥＯＴＡＩＮＥ  ＣＬＧは、例えば、約３０質量％〜約７０質量％の濃度で現在好ましい調合物中に存在し得る。ＮＥＯＤＯＬ  ２５−３Ｓ／２７中の有効成分の濃度は、約２６質量％である。本発明の調合物中のＮＥＯＤＯＬ  ２５−３Ｓ／２７の濃度は、約１０質量％と約４０質量％との間であり得る。
【００５８】
本発明の調合物の現在好ましい実施形態を、以下の表１に見出すことができる。
【００５９】
【表５】
2008536662.tif 000006
【００６０】
別の現在好ましい実施形態では、本発明の調合物は、両性化合物、アニオン性化合物、少なくとも１つの有機アルコール、酸、塩基、及び防腐剤を含む。特に好ましい実施形態では、酸はヒドロキシ酸であり、塩はヒドロキシ酸の塩であり、両性化合物は両性界面活性剤である。別の現在好ましい実施形態では、抗菌薬及び／又は殺生剤が存在し得る。本明細書中で使用される場合、抗菌薬は微生物の成長を破壊又は阻害することができる薬剤を意味し、殺生剤は生きている生物を破壊することができる薬剤（例えば、殺虫剤）である。
【００６１】
いくつかの現在好ましい実施形態では、アニオン性化合物は、アニオン性界面活性剤である。本発明での使用に適切なアニオン性化合物は、アルキルエーテル硫酸塩、アシルイソチオネート、アルキルエーテルスルホネート、サルコシネート、スルホスクシネート、タウレート、及びその組み合わせである。特に好ましいアニオン性界面活性剤は、ラウリルエトキシ硫酸ナトリウムである。
【００６２】
好ましくは、コカミドプロピルベタインは、約３０質量％と約７０質量％との間の濃度で存在する。
【００６３】
好ましくは、ラウリルエトキシ硫酸ナトリウムは、約１０質量％と約４０質量％との間の濃度で存在する。
【００６４】
好ましくは、クエン酸は、約０．１質量％と約５質量％との間の濃度で存在する。
【００６５】
好ましくは、クエン酸ナトリウムは、約０．１質量％と約５質量％との間の濃度範囲で存在する。
【００６６】
好ましくは、Ｂｒｏｎｏｐｏｌは、約０．０５質量％の濃度で存在する。
【００６７】
好ましくは、調合物のバランスは、水（約２１．５質量％）である。
【００６８】
本発明の特に好ましい実施形態を、以下の表２Ａに詳述する。
【００６９】
【表６Ａ】
2008536662.tif 000007
【００７０】
本発明の別の特に好ましい実施形態を、以下の表２Ｂに詳述する。
【００７１】
【表６Ｂ】
2008536662.tif 000008
【００７２】
本発明の調合物は、好ましくは、酸性、中性、及び塩基性の臭気を排除するために広いｐＨ範囲にわたる臭気の排除に有効である。
【００７３】
本明細書中で使用される場合、以下の略語は、以下を意味する。
全ての数字は、質量％で示す。
ＣＡＢ＝コカミドプロピルベタイン
ＳＬＥＳ＝ラウリルエトキシ硫酸ナトリウム
抗菌Ｂｒｏｎｏｐｏｌ、Ｍｙａｃｉｄｅ  Ｎｉｐａｃｉｄｅ  ＢＩＴ２０、又は類似物
Ｃｉｔｒｉｃ  ａｃ．＝クエン酸
Ｓｏｄ．Ｃｉｔｒａｔｅ＝クエン酸ナトリウム
Ａｍｍ．Ｂｉｆｌｕｏｒｉｄｅ＝重フッ化アンモニウム
Ｐｈｏｓｐｈｏｒｉｃ  ａｃ．＝８５％リン酸
ＬＤＡＯ＝ラウリルジメチルアミンオキシド
Ｂｏｒａｘ  ｄｅｃａｈｙｄｒａｔｅ＝四ホウ酸ナトリウム十水和物
ＭＥＡ＝モノエタノールアミン
【００７４】
以下の表は、本発明の組成物についての種々の組成範囲（好ましい組成が含まれる）を提供する。
【００７５】
【表７】
2008536662.tif 000009
【００７６】
【表８】
2008536662.tif 000010
【００７７】
【表９】
2008536662.tif 000011
【００７８】
【表１０】
2008536662.tif 000012
【００７９】
上記調合物を、以下の手順によって調製することができる。
【００８０】
コカミドプロピルベタイン及びラウリルエトキシ硫酸ナトリウムを秤量し、過剰な発泡を防止するために穏やかに撹拌しながら混合する。冷却下で、これらの両界面活性剤は、互いに混合した場合に得られた混合物が非常に粘度が高くなるように、混合するために馴化／加温する必要があり得る。これはパートＡである。
【００８１】
クエン酸及びクエン酸ナトリウムと防腐剤を、これらが完全に溶解するまで個別に混合する。これはパートＢである。
【００８２】
穏やかに撹拌しながらパートＢをパートＡに添加する。
【００８３】
成分の温度は、１５℃〜２５℃の範囲でなければならない。好ましくは、２０℃である。
【００８４】
【表１１】
2008536662.tif 000013
【００８５】
【表１２】
2008536662.tif 000014
【００８６】
【表１３】
2008536662.tif 000015
【００８７】
【表１４】
2008536662.tif 000016
【００８８】
【表１５】
2008536662.tif 000017
【００８９】
較正された電気モータ速度コントローラを用いて測定。最も高い効果及び効率のために、特定の適用に一致する最も小さな液滴／粒子サイズを使用すべきである。
【００９０】
【表１６】
2008536662.tif 000018
【００９１】
所見：
１．パートＣをパートＡに直接添加した場合、これにより、１５０００ｃｐｓを超える粘度に劇的に濃くなる結果となり、適切な分散が非常に困難になる。
２．パートＢとパートＣとの事前の混合及びパートＡへのこれの添加により、いくらか有意な濃厚化が一過性に起こり、その後に再度薄まる。
３．１８℃〜２０℃、粘度２５００〜３０００ｃｐｓで新たに作製した場合、最終生成物は、数日間にわたって４０００〜７０００ｃｐｓに有意に濃厚化し続ける。
【００９２】
【表１７】
2008536662.tif 000019
【００９３】
生物中和調合物Ｎ
パートＡ  コカミドプロピルベタイン及びラウリルエトキシ硫酸ナトリウムを秤量し、混合する。
【００９４】
パートＢ  水、クエン酸ナトリウム、クエン酸を秤量し、乾燥成分が溶解するまで混合する。
【００９５】
パートＡにパートＢを穏やかに撹拌しながら添加する。
【００９６】
【表１８】
2008536662.tif 000020
【００９７】
生物中和調合物Ｂ
パートＡ  コカミドプロピルベタイン及びラウリルエトキシ硫酸ナトリウムを秤量し、混合する。
【００９８】
パートＢ  水、クエン酸、及び防腐剤を秤量し、混合する。
【００９９】
パートＣ  重フッ化アンモニウム及び水を秤量し、混合する。溶解時にパートＣにリン酸（８５％）及びラウリルジメチルアミンオキシドを添加し、混合する。
【０１００】
パートＡにパートＢを穏やかに撹拌しながら添加する。混合物は、非常に濃厚化し、ゲル状になる。
【０１０１】
撹拌しながらパートＣを添加してＡ及びＢと混合。ＮＢ：添加があまり遅くなく混合し続けた場合、最終生成物は分離する。
【０１０２】
【表１９】
2008536662.tif 000021
【０１０３】
【表２０】
2008536662.tif 000022
【０１０４】
使用方法：
処理すべき基質の性質に依存して、１つ又は複数の調合物は、以下のいずれかで存在する標的基質を処理することができる。
(i)   気相、
(ii)  液相、又は
(iii) その多孔質及び／又は吸収特性が基質の気相及び／又は液相の一部を含む固体を処理するため。
【０１０５】
気相：
気相中の標的された基質の処理手段を考案する場合、以下の変動項目を考慮しなければならない。
【０１０６】
変動項目
−  気相の速度
−  気相の体積
−  気流中の標的基質の負荷
−  分散、噴霧、蒸気、又は霧状化すべき生成物の形態
−  散布手段
−  使用すべき適切な製剤の希釈
−  送達された生成物の標的された基質との混合を確実にする手段（すなわち、渦流、誘導など）
−  生成物の液滴サイズ
【０１０７】
液滴／粒子サイズ
標的された基質の最も有効な除去のために、液滴サイズが重要である。
【０１０８】
適切な製剤の液滴が標的された基質の分子及び／又は粒子に接触するように作用しなければならないので、液滴サイズが小さいほど任意の所与の量の生成物の液滴数が増加し、基質と接触する機会が増加する。
【０１０９】
しかし、ガス速度、予測不可能な渦流、又は外部牽引、及び標的の状況などの他の検討材料は、至適な液滴よりも大きな液滴又は最も細かい液滴を生成しない送達手段のいずれかが必要であり得る。
【０１１０】
説明を容易にするために、以下の定義を適用する。
噴霧    −  液滴サイズ２０〜８０＋ミクロン
ミスト  −  液滴サイズ５〜２０ミクロン
霧状    −  液滴サイズ５ミクロン未満
【０１１１】
移動するガス流（例えば、煙突、排気口、空調、換気装置）での使用：
０．５ｍ／ｓ上方に移動するガス流では、選択した製剤を、「送達方法」の、特に１番又は２番に記載の手段のうちの１つを使用して、ガス流の断面積を完全に覆うような様式でガス流に直接噴霧又はミスト化する。
【０１１２】
空気の移動が０．５ｍ／ｓ未満の静止したガス系（倉庫又はオープンプラン式の建物、部屋、又は他の類似の空間）での使用：
これらの環境では、「送達方法」の３、５、６、７、８、９、又は１０番に記載のように、送達系における適切な希釈度での適切な調合物の使用によって最も小さな液滴サイズを生成する送達方法を使用することができる。
【０１１３】
気相系における使用例
１．特に、石炭を燃料とする過程から放出された汚染ガスの減少／排除。このような系は、「送達方法」の１番及び２番に記載の送達系を使用するであろう。
【０１１４】
２．家庭内及び商業的な失火における燃焼で生成された有毒ガスの抑制及び排除。このような系は、「送達方法」の５、７、８番などに記載の送達系を使用するであろう。
【０１１５】
３．建築物の構造材料及び煙の被害を受けた小売り商品又は商品の両方における焦臭い匂いの抑制。「送達方法」の９番及び１０番などの方法を使用する。
【０１１６】
液相での使用：
液相での使用には以下のみが必要である。
(i)   十分な濃度の適切な調合物が存在すること。
(ii)  有効に混合されること。
(iii) 発泡が望ましくない状況では、調合物の所望の性質に影響を及ぼすことなく調合物の発泡特性が抑制されること。
【０１１７】
液相への送達は、「送達方法」の１及び２に限定され、１及び２は、圧力ポンプを使用する必要がなく、最初に噴霧又はミスト化ノズルを通過させることなく最初生成物を基質液に直接注入することができるという点が異なる。
【０１１８】
液相系での使用例：
１．不快な臭気を減少させるための下水処理場における液状廃棄物流の処理（例えば、市営汚水処処理施設での使用）。
【０１１９】
２．破棄前の工場用地からの工場液体廃棄物の処理（例えば、食肉工場の廃棄物、缶詰工場の廃棄物）。
【０１２０】
固体への使用：
固体処理は、一般に、表面を湿らせる必要があるので、送達方法は簡潔である。
【０１２１】
このような処理は、粗い噴霧が必要であり、「送達方法」の４又は６などの手作業で操作する系によってこれを供給することができる。
【０１２２】
固体及び表面への使用例：
１．臭気を減少させるための衣類及び履物への噴霧。
２．微生物を排除するための表面への噴霧。
【０１２３】
送達方法
任意の所与の適用のための特定の製剤の送達方法を、１つ又は複数の以下の送達系から選択する。
【０１２４】
１．必要な製剤を予め希釈し、適切なフィルタによって液体圧力ポンプを介して特定の適用のために選択したノズルに送達させる噴霧又はミスト化システム。ＮＢ：フィルタは、ノズル開口部よりも小さな粒子を除去しなければならない。
【０１２５】
圧力ポンプによってノズルの送達能力を超えて送達された生成物がポンプの低圧側に戻るように圧力ポンプにバイパスを取り付ける。この手段により、送達が失敗するポンプ内側の発泡及び空胞発生が防止される。
【０１２６】
選択された圧力ポンプは、５０ｐｓｉと１００ｐｓｉとの間の圧力で生成物を送達させることができる。
【０１２７】
２．生成物の供給量を増減することができる投与ポンプを使用する噴霧又はミスト化システム。このようなポジティブ置換ポンプは、ストロークの速度、ストロークの長さ、又はその両方のいずれかを変化させることができる。
【０１２８】
投与ポンプは、製剤が圧力ポンプの低圧側に導入されるように特定の濃度の製剤を給水管に供給し、続いて、これが液体圧力ポンプに供給される。圧力ポンプを介した水及び製剤の通過により、完全な混合が確実となる。次いで、混合された希釈生成物は、十分に細かいフィルタを通過し、ノズル開口部サイズと同一のサイズ及びより大きなサイズの粒子／夾雑物が除去される。次いで、必要に応じて、生成物を１つ又は複数のノズルに分配する。
【０１２９】
圧力ポンプによってノズルの送達能力を超えて送達された生成物がポンプの低圧側に戻るように圧力ポンプにバイパスを取り付ける。この手段により、送達が失敗するポンプ内側の発泡及び空胞発生が防止される。
【０１３０】
選択された圧力ポンプは、５０ｐｓｉと１００ｐｓｉとの間の圧力で生成物を送達させることができる。
【０１３１】
３．測定された量の適切に希釈した選択された調合物がリザーバ中に保持されるミスト化及び霧状化システム。ベンチュリー管により、リザーバから吸引器型ステンレススチールノズルに通じさせる。ノズルに、５０ｐｓｉと５００ｐｓｉとの間の圧力を有する圧縮空気を更に供給する。始動させた場合、圧縮空気がノズルを通過し、その際にベンチュリー効果によってリザーバから生成物が汲み上げられる。
【０１３２】
システムは、前後が開く金属製又はプラスチック製の覆いで囲まれている。覆いの軸方向に、通常は電子的に操作されるファンが取り付けられている。
【０１３３】
生成物のリザーバ及び供給された圧縮空気を含む吸引ノズルから細かいミスト又は霧が得られ、ファンによってミスト又は霧が巨大な空域全体に分散される。
【０１３４】
４．特定の希釈度の適切な調合物を、(i)「手動ミスト化ポンプ」又は(ii)「噴霧誘発ポンプ」の１つを取り付けたボトル、フラスコ、又は管に入れる。
【０１３５】
「手動ミスト化ポンプ」又は「噴霧誘発ポンプ」は、使用者によって手動で始動させ、処理すべき基質又は発生源への直接使用を目的とする。
【０１３６】
この送達方法は、小売り及び小規模市場を意図する。
【０１３７】
５．圧縮エアゾール缶に入れた選択された調合物。エアゾール缶を、作動デバイス中に入れるか、隣接させて配置する。始動デバイスは、以下のうちの１つから選択される検出器からなる。
(i)   光学煙検出器
(ii)  イオン化煙検出器
(iii) 一酸化炭素検出器
(iv) 類似の有害又は有毒ガス又は生物学的危険物の検出器
【０１３８】
特定の危険物の感知の際に、検出器は、デバイスを始動し、次いで、エアゾール缶を始動させる。
【０１３９】
一旦始動すると、エアゾール缶は始動したままになり、その内容物を全て送達させることができる。
【０１４０】
６．適切な調合物を圧縮エアゾール缶に充填する。このエアゾール缶を、手動で操作し、方向付ける。このシステムは、消費者、小売り、小規模市場を意図する。
【０１４１】
７．意図する適用のための適切な調合物を、消化器に類似のデバイスに充填する。このデバイスは、手動で始動し、かつ有向形態であり得るか、（５）に記載の検出器によって自動的に作動し、固定経路で方向付けることができる。
【０１４２】
８．意図する適用のための適切な調合物を、標準的な商業用又は工業用スプリンクラーシステムに導入することができる。製剤の導入は、圧力スイッチ又は他の適切なデバイスによって始動する前記投与ポンプによる。スプリンクラーが始動した場合、調合物は網状送水管にポンプで注入されてスプリンクラーシステムに送り込まれ、それにより、スプリンクラーシステムによって必要な領域に向けられる。
【０１４３】
９．デバイスが適切な希釈度の適切な調合物のリザーバを含む超音波霧状化システム。リザーバ中に超音波振動子を配置する。超音波振動子は、リザーバ中の生成物上の空域に非常に細かいミスト又は霧を生成する。
【０１４４】
電動式ファンを、デバイスに設置する。ファンは、リザーバの空域から細かいミスト又は霧を取り出し、処理すべき空間に分配する。
【０１４５】
このようにして生成されたミスト又は霧は、非常に小さな液滴から構成される。このようにして生成された非常に小さな液滴は、高い浸透性及び優れた分散特性を有する。
【０１４６】
１０．適切な希釈度の適切な調合物を、加熱噴霧器として公知のデバイスの生成物リザーバに入れる。このようなデバイスは、ガソリン、ケロシン、圧縮天然ガス（ＣＮＧ）、又は液化石油ガス（ＬＰＧ）などのいくつかの燃料を動力源とした「パルスジェット」モーターからなる。
【０１４７】
「パルスジェット」は、操作した場合、熱及び圧力の両方を供給してリザーバ中に含まれる生成物を蒸発させ、細かい液滴形態で分散される。これらのデバイスは、いくつかのサイズで構築され、程度の差はあるが、運搬できる。生成物を、１度に５００倍まで希釈することができる。
【０１４８】
本発明の調合物は、悪臭及び有害ガスが中和されることが望ましい多様な用途を有することが意図される。これらの用途には、家庭用トイレでの使用、煙の匂いを排除するための密閉空間での使用、動物の糞由来の臭気、汚水由来のバイオソリッドを排除するための工業又は農業での使用などが含まれる。更に、本発明の調合物を、肥料、茸の肥料の処理、動物が生息する領域（畜舎、犬小屋、ペットのベッド、犬舎、及び動物園が含まれる）の脱臭で使用することができる。本発明の調合物を使用して、オムツ並びに、ジム、ロッカールーム、及びトイレの悪臭を処理することもできる。本発明の組成物を使用して、ペット臭を制御することもできる。
【０１４９】
更に、本発明の調合物は、下記のように、抗菌性を有する。従って、本発明の調合物を、細菌、ウイルス、酵母、及び糸状菌を死滅させることが望ましい環境下（有害微生物範囲など）で使用することができる。本発明の調合物は、更に、グラム陰性菌及びグラム陽性菌の両方の死滅又は成長遅延に有用である。特に、本発明の調合物は、炭疽菌の胞子及び栄養成長期の両方の死滅で有用である。
【０１５０】
本発明の調合物は、噴霧することができ、噴霧粒子を気体臭気に向けることができる。例えば、噴霧アプリケータを、室内に取り付け、アプリケータ由来の噴霧を煙粒子に向けることができる。或いは、噴霧アプリケータをトイレの便器に隣接して取り付け、噴霧を便器に向けることができる。
【０１５１】
更なる実施形態では、本発明は、臭気又は悪臭生成材料を本発明の調合物と実質的に接触させる工程を含む、選択された領域から望ましくない臭気を排除又は実質的に除去する方法から構成され得る。
【０１５２】
１つの現在好ましい実施形態では、調合物を、悪臭に向かって噴霧するか、悪臭の周辺にエアゾールとして形成することができる。或いは、調合物を、液体形態で悪臭生成材料に適用するか、悪臭ガスに接触させることができる。本発明の組成物の更なる用途には、以下が含まれる。
農産物（１２）
ブロイラー鶏舎の初期処置
禽舎の内部環境の制御
家屋の仕上げ処理
１１日目に処理するための禽舎の内部環境の制御
ブロイラーリターの処理
放牧の間のリターの殺菌剤による防腐処理（Ｇ）
ブロイラーの外部処理
畜舎外部の肥料及び臭気の処理
産卵鶏舎の処理
禽舎内部環境の制御
産卵鶏リター処理
バッテーリーケージリターの殺菌処理
産卵鶏外部処理
畜舎外部の臭気及び肥料の処理
ブタの保育器及び処分装置の処理
豚舎内部環境の制御
養豚場外部処理
外部の酸化及びスラリー制御
ウシ閉じ込め飼育場の処理
肉牛フィードロット牛舎環境の制御
酪農場の廃液及び灌漑処理
搾乳小屋の汚水及び池の処理
環境製品／工業製品
重工業の排ガス制御；Ｈ２Ｓ、ＳＯ２、ＣＯ２、ＣＯ、ＮＯの除去（Ｇ）
液体及び汚水の処理
酸化池、浄化槽、廃液、汚泥ピット
皮なめし工場及び裸皮の処理
皮革処理排出物の制御
臓物、動物飼料精製工場、及び精肉工場
排出物制御
パルプ工場及び製紙工場の処理
外部浸漬池及び酸化池の臭気制御
パルプ工場及び製紙工場の処理、ファイバーセメントボードの有毒排出物処理
食品工場及び缶詰工場の処理
外部処理「スティック」池の制御
食品工場及び缶詰工場の処理
臭気放出物の制御
調理、ボイルによる広範な臭気
大規模歩行者専用道路区域
微生物、病原体、又は毒素の除去
空調機器の微生物制御
病院、商業ビル、家屋の有害な細菌及び院内病原体の除去
無微生物にし、化学物質、微生物、及び粒子状物質の除去を補助するための織物及びフィルタ材料への適用
食品加工工場の衛生処理
細菌、特にリステリア菌の除去
国境地帯のバイオセキュリティの制御
空港及び海港の燻蒸及び除染
（航空便及び船便の容器）
地下鉄の空気再循環処理
炭素微粒子ＣＯ２、Ｈ２Ｓ、及びＣＯの除去
旅客機の空調設備の病原菌の殺菌処理（公共交通車両（バス、電車）による輸送が含まれる）
表面衛生処理
細菌汚染表面、装置、及び施設から細菌を排除するための院内での商業的使用
仮設トイレの殺菌処理
細菌及び臭気の除去
発生したカビの除去（商業的／個人）
発生したカビ及び酵母の排除
住居及び商業用不動産を覆うカビ（真菌）処理ための商業的適用
（内部木造骨組み、内部サービス、被覆加工、及び保険業務（「水漏れしている建物」））
発生したカビ及び酵母の排除
家庭内で使用するための消費者用製品
カーペットのカビの防止及び除去
商業的適用のための特定のカーペット処理
カーペットのカビの防止及び除去
家庭内で使用するための消費者用製品
人造壁板製品のカビの処理
カビ発生を防止するための壁紙貼り及び塗装（アクリル系）前の前処理
医療用及び個人の医療製品
これらには、ヒトの医学的／外科的局所消毒／殺菌での用途、医学的／手術用機器の滅菌及び殺菌での使用、動物の医学的／外科的局所消毒／殺菌／滅菌での用途、ヒト局所創傷／びらん／潰瘍の殺菌／抗菌のための適用、ヒト局所殺真菌（例えば、足指及びｋ手の指の爪の感染）、殺菌石鹸液、手術前外科用洗浄液、及び手術器具の滅菌剤（殺菌の対照物）が含まれる。
滅菌外科手術用フェイスマスク及び使い捨てガーメント
マスク、帽子、履物、及び使い捨てクロークの細菌からの保護
抗菌及び感染防御マスク
救急機関、救急車、救急医療、消防機関、遺体安置所、葬儀場、及び警察機関のために特別にパッケージングされた抗菌及び臭気防御フェイスマスク
火災による煙の吸入防止マスク
家屋の火災及び高層ビルのテナント由来の煙の吸入を軽減するためのフェイスマスク
タンポン（毒素性ショック症候群の防止）、生理用ナプキン
高齢者介護及び生活環境
保養所及び老人医療／病院における「生活」臭の除去及び潜在的な細菌感染からの防御のための脱臭噴霧アプリケータ
痩造設術製品の細菌及び臭気の排除
痩孔及び失禁用衣類の不快な臭気及び細菌感染の除去
痩造設術用衣類の交換における個人使用のための噴霧パック
抗生物兵器−化学兵器テロリスト／戦争兵器（すなわち、炭疽菌）
商業ビルの空調設備
商業的アプリケータ製品
再充填式ガスボトル消化器
（商業事務所、大規模団地、及び家屋用）
消費者用エアゾールキャニスタ
（家庭及び「隠し部屋」作製用）
生物的及び化学的攻撃／戦争兵器表面の除染洗浄物
商業的液体スプレー及び攻撃後の除染適用
商業用及び消費者用（ＦＭＣＧ）製品
ＲＥＳ病院及び保養所における失禁臭気処理
アクリル系塗料の臭気除去のための添加物
臭気防止及び空気清浄のための噴霧及びエアゾール
トイレ周囲の液体洗浄薬
殺菌ワイプ
足の臭い−靴の中敷きの処理
家具用織物、掛け布、及びカーペットの清浄剤
ボート及び娯楽用船舶（腐敗物保持タンクの処理）
航海用トイレ／便所の事前の調節
冷蔵庫内の空気洗浄及び細菌の除染
ペットグッズ
獣医クリニックの抗菌表面処理
犬舎及び寝具の臭気の防止及び排除
ネコ用トイレの臭気排除剤
ペット用の臭気排除剤及び防止スプレー
市販用の製品／応接製品／ドライクリーニング製品
ホテル、レストラン、バー、及びカジノの空調処理
商業施設の紙巻きタバコ及び葉巻の煙、臭気、及び微粒子状物質の排除
自社ブランドのエアゾール、空調製品、インストーラー、及びサービス業務（例えば、キャリア、スコープ、ミツビシ(Mitsubishi)など）
保険商品、ドライクリーニング製品
火災の煙の被害を受けた衣類由来の煙の臭気の除去
消費者用エアゾールスプレー
紙巻きタバコ及び葉巻の煙の臭気の排除
空気清浄ユニット
本発明の組成物−Ｓ＊フィルタによる大気を循環させる独立型空気清浄ユニット。タバコの煙、粒子状物質、及び病原体の除去。独自開発のディスペンサによって再充填されるユニット。
【０１５３】
火災改善のための使用
本発明の組成物を使用して、家屋の火災及び産業火災に起因する有毒ガス、悪臭、及び煤煙を除去することができる。本発明の組成物を、消火用スプリンクラーの水と混合して、消化に起因する臭気を軽減及び除去することもできる。
【０１５４】
本発明の組成物は、煙中の臭気、窒息ガスの排除、粒子状物質の除去のための消化システムから放出される水に導入するのに有用である。
【０１５５】
火炎探知の際に組成物が火炎領域に放出されて火炎及び煙に起因する有毒ガスを中和し、臭気を除去又は軽減するように、本発明の組成物を火炎探知器とともに組み込むこともできる。
【０１５６】
従って、形成された組成物を、濃縮形態で使用するか、最終適用に応じて水で更に希釈することができる。組成物の好ましい製造方法は、約５０ｇのコカミドプロピルベタインを約２５ｇのラウリルエトキシ硫酸塩と混合物工程を含む。クエン酸（約１ｇ）及びクエン酸ナトリウム（約１．５ｇ）を、約２１．５ｍｌの水に添加して、クエン酸及びクエン酸ナトリウムを溶解させる。次いで、水溶液を、ゆっくり撹拌しながらコカミドプロピルベタインとラウリルエトキシ硫酸塩との混合物にゆっくり添加する。防腐剤として約１ｇのブロノポールを添加することができる。調合物の混合中、粘度が高すぎる溶液の作製を回避するように注意しなければならない。水溶液の不適切な撹拌又は非常に急速な添加により、粘性の高い粘着性溶液が形成され得る。手作業での適用に必要な溶液の体積に応じて、この例をスケールアップ又はスケールダウンすることができる。
【０１５７】
組成物の別の好ましい製造方法は、５０％のコカミドプロピルベタインを測定し、これを約２５℃に加熱する工程を含み、その結果、終了時の最終温度は１５℃を超える。コカミドプロピルベタインを撹拌しながら、２５％のラウリルエトキシ硫酸ナトリウムを測定し、ゆっくり添加する。次いで、この混合物を、約１５分間混合する。
【０１５８】
必要に応じて、コカミドプロピルベタインの製造で固有の塩／グリセロール含量を変化させることによって濃縮物の粘度を制御することができる。より多くの塩、より少ないグリセロールにより、粘度が増加する。全ＣＡＢ成分中に少量の（典型的には、２５％）のＣＡＢ  ＧＦ（グリセロール無し）を含めることによってこれを行うこともできる。
【０１５９】
次いで、０．７５％のクエン酸ナトリウム、０．５％クエン酸、及び０．０５％のブロノポールを、約４．５％の加温した濾過純水に添加する。この混合物を、クエン酸及びクエン酸ナトリウムが水中に完全に溶解するまで撹拌する。
【０１６０】
コカミドプロピルベタインとラウリルエトキシ硫酸ナトリウムとの混合物を、穏やかに撹拌し、これらの溶解した粉末を添加する。わずかに粘度が増加するであろう。次いで、この混合物を、約１５分間混合する。
【０１６１】
或いは、酸性臭気により有効にするために、クエン酸レベルを低下させるか、最終精製物に約０．１％のモノエタノールアミンを添加する。
【０１６２】
アルカリ性臭気により有効にするために、クエン酸ナトリウムレベルを低下させるか、成分の標準量の＋／−１００％までクエン酸レベルを増加させる。これにより、変化の程度に応じて、粘度が有意に増加する。
【０１６３】
濾過した純水を使用して、所定の体積までの総量を作製する。冬期は、最終生成物を保持するために、これを約１５℃に加温することができる。任意選択的な成分を、しばしば水に含めることができる。この生成物を、１５℃以上で少なくとも１日静置し、その組み合わせ及び脱気を完了すべきである。
【０１６４】
任意選択的に、この生成物に香料を添加することができる。香料レベルは、一般に、１．５％である。これに、０．７５％のＱＡＣを添加し、香料が「傷まない」ように、低速で完全に混合する。この混合物は、最初は濁っているが、数時間の静置後に透明になる。
【０１６５】
次いで、この化合物を生成物に添加し、生成物が濃厚化する前にできるだけ多く混合して完了させるために、穏やかであるが急速かつ完全に混合する。一旦生成物が香料のために濃厚化すると、更なる混合を慎重に行わなければならないか、永続的に乳化し、生成物の外観が白っぽくなる。試験により、生成物がこの状態で依然として有効であることを示す。不完全な混合により、混合物中に２％を超える濃度レベルでこの区域が生じ、これらがいくらか「沈殿する」可能性がある。この「沈殿」を、希釈直前に濃縮物中で撹拌すべきである。
【０１６６】
このようにして形成された組成物を、最終的な適用に応じて、濃縮形態で使用することができるか、濾過した純水で９：１から２０００：１の希釈率で希釈することができる。
【０１６７】
本発明の有用性を、上記の基本的組成物への種々の成分の添加によって拡大することができる。これらには、以下が含まれる。
【０１６８】
Ａ．気体又は液体状態の臭気生成アルカリ性物質（例えば、アンモニア）の分解で用いる組成物
基本的組成物番号２（表２）      ９０％
クエン酸（１０％溶液）          １０％
特定の状況に適応させるためにクエン酸レベルを調整することができる。
【０１６９】
Ｂ．この組成物は、抗菌性を示し、特に、アルカリ性物質の分解と組み合わせる。
【０１７０】
【化１】
2008536662.tif 000023
【０１７１】
Ｃ．この組成物は、天然で酸性の臭気生成化合物（例えば、硫化水素、二酸化硫黄、及び二酸化炭素など）を分解するのに有用である。
基本的組成物番号２                ６８．０％
四ホウ酸ナトリウム（十水和物）    １２．５％
モノエタノールアミン              １２．０％
Ｈ２Ｏ（９０℃＋）                 ７．５％
【０１７２】
Ｄ．この組成物は、臭気生成酸性物質（例えば、硫化水素及び二酸化炭素など）の分解し、かつ抗菌活性が必要な場合に使用される。
組成物Ｃ（上記）        ９０％
トリクロサン            ２％
【０１７３】
この組成物は、基本的組成物又は組成物Ｂのいずれかよりも有効な抗菌性を示す。
【０１７４】
Ｅ．この異形は、具体的には、炭疽菌胞子の外皮のアミド結合を破壊するようにデザインされている。第１に、ハロゲン酸によってこれらの結合が切断され、第２に、このハロゲン酸が表面から突き出る外皮の側鎖の「森」を透過する良好な機会を有するのに十分に小さく、潜在的な攻撃種が表面から離れて物理的に適切に保持されることによってより大きな程度でその化学的耐性を担わなければならないので、これが起こる。
【０１７５】
しかし、上記機能を発揮する同一の理由のために、ウイルスの莢膜及び高分子毒素（ボツリヌス毒素及びリシンなど）などのタンパク質及び類似の物質も分解される。
第１の成分
基本的組成物番号２（クエン酸ナトリウム無し）    ８０％
第２の成分                                      ２０％
（以下から構成される：
水                                        ６１％
重フッ化アンモニウム                      １２％
リン酸                                    ２５％
ラウリルジメチルアミンオキシド            ２％）
組成物Ｆ
（この組成物は、高い抗菌活性を示す）
組成物Ｅ                                        ９８％
トリクロサン                                      ２％
【０１７６】
本発明の調合物は、ヒトの健康に有害な種々の微生物の成長の阻害にも有効である。いくつかの微生物に対する本発明の調合物の効果を評価した。
【図面の簡単な説明】
【０１７７】
【図１】図１は本発明の組成物を使用したＮＨ３除去率のグラフである。
【図２】図２は本発明の組成物を使用したＳＯ２除去率のグラフである。
【図３】図３は本発明の組成物を使用したＨ２Ｓ除去率のグラフである。
【図４】図４は本発明の組成物を使用したＣＯ２除去率のグラフである。
【図５】図５は本発明の組成物を使用したＣＯ除去率のグラフである。
【図１】
2008536662.tif 000024
【図２】
2008536662.tif 000025
【図３】
2008536662.tif 000026
【図４】
2008536662.tif 000027
【図５】
2008536662.tif 000028
【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
有害成分又は悪臭成分をこれらを含む材料から除去するための組成物であって、前記組成物は、以下の成分：
両性化合物、
有機溶媒、
酸、酸の塩、及びその組み合わせからなる群から選択される化合物、及び
水
を含み、
前記各成分の相対存在量が前記有害成分又は前記悪臭成分を望ましく除去するのに十分である組成物。
【請求項２】
前記両性化合物が、アルキルベタイン、アミドプロピルベタイン、アミドプロピルスルタイン、及びその組み合わせからなる群から選択される請求項１記載の組成物。
【請求項３】
前記有機溶媒がラウリルエトキシ硫酸ナトリウムである請求項１記載の組成物。
【請求項４】
前記塩が有機酸の塩である請求項１記載の組成物。
【請求項５】
前記塩がクエン酸ナトリウムである請求項１記載の組成物。
【請求項６】
前記コカミドプロピルジメチルベタインが約４．５質量％〜約２５質量％の量で存在し、前記ラウリルエトキシ硫酸ナトリウムが約０．５質量％〜約１０．８質量％の量で存在し、前記クエン酸が約０．１質量％〜約５質量％の量で存在し、前記クエン酸ナトリウムが約０．０質量％〜約３．０質量％の量で存在し、前記水が８１％〜１０％の量で存在する請求項２２記載の組成物。
【請求項７】
殺生剤を更に含む請求項６記載の組成物。
【請求項８】
四ホウ酸ナトリウム十水和物を更に含む請求項１記載の組成物。
【請求項９】
アルカノールアミンを更に含む請求項１記載の組成物。
【請求項１０】
以下の化合物：
ＣＡＢ                  １５％
ＳＬＥＳ                ６．７５
クエン酸                ０．５
クエン酸ナトリウム      ０．７５
殺生剤
及び／又は
抗菌薬                  ０．５
水                      ７６．５０
を含む組成物。
【請求項１１】
以下：
ＣＡＢ                  １０．３％
ＳＬＥＳ                ４．６４％
クエン酸                ０．３４％
クエン酸ナトリウム      ０．５１％
殺生剤及び／又は
抗菌薬                  ０．５％
四ホウ酸ナトリウム十水和物  １１．９％
ＭＥＡ                  １１．９％
水                      ５９．９１％
を含む組成物。
【請求項１２】
有害成分又は悪臭成分をこれらを含む材料から除去する方法であって、前記材料を抗有害有効量又は抗悪臭有効量の請求項１記載の組成物で処理する工程を含む方法。
【請求項１３】
有害成分又は悪臭成分をこれらを含む材料から除去する方法であって、前記材料を抗有害有効量又は抗悪臭有効量の請求項６記載の組成物で処理する工程を含む方法。
【請求項１４】
有害成分又は悪臭成分をこれらを含む材料から除去する方法であって、請求項１の有害又は悪臭を減少する組成物を水と混合する工程と、有害成分又は悪臭成分をこれらを含む材料から除去するために、有害又は悪臭ガスに接触させて有効量の前記組成物が与えられるように前記組成物を前記材料上の大気に噴霧又は霧化する工程とを含む方法。
【請求項１５】
有害成分又は悪臭成分をこれらを含む材料から除去する方法であって、請求項６の有害又は悪臭を減少する組成物を水と混合する工程と、有害成分又は悪臭成分をこれらを含む材料から除去するために、有害又は悪臭ガスに接触させて有効量の前記組成物が与えられるように前記組成物を前記材料上の大気に噴霧又は霧化する工程とを含む方法。
【手続補正２】
【補正対象書類名】明細書
【補正対象項目名】００１３
【補正方法】変更
【補正の内容】
【００１３】
気相への適用
大気への適用では、本発明の組成物の濃縮物を、最初に水と混合して所与の適用に適切な希釈率に処方する。次いで、この組成物を、有毒ガス及び有害ガスの放出源又は放出付近の大気に噴霧するか霧状化した。本発明の組成物の使用量の標準的な出発点は、１ｍ3の空気当たり０．００２ｇの本発明の組成物の濃縮物又は１０００ｍ3の空気当たり２ｇの本発明の組成物である。
【手続補正３】
【補正対象書類名】明細書
【補正対象項目名】００３０
【補正方法】変更
【補正の内容】
【００３０】
【表３】
2008536662.tif 000029
【手続補正４】
【補正対象書類名】明細書
【補正対象項目名】００３５
【補正方法】変更
【補正の内容】
【００３５】
図１に示すように、本発明の組成物は、１５秒間に９７％のＮＨ3を除去し、５分以内に１００％除去した。
【手続補正５】
【補正対象書類名】明細書
【補正対象項目名】００３６
【補正方法】変更
【補正の内容】
【００３６】
二酸化硫黄（ＳＯ2）ガス
図２に示すように、本発明の組成物は、１５秒以内に１００％の二酸化硫黄を除去した。おそらく、接触時に１００％即座に除去されたであろう。
【手続補正６】
【補正対象書類名】明細書
【補正対象項目名】００４２
【補正方法】変更
【補正の内容】
【００４２】
図４に示すように、本発明の組成物は、１０分間に７０％のＣＯ2を除去した。
【手続補正７】
【補正対象書類名】明細書
【補正対象項目名】００５８
【補正方法】変更
【補正の内容】
【００５８】
本発明の調合物の現在好ましい実施形態を、以下の表５に見出すことができる。
【手続補正８】
【補正対象書類名】明細書
【補正対象項目名】００６８
【補正方法】変更
【補正の内容】
【００６８】
本発明の特に好ましい実施形態を、以下の表６Ａに詳述する。
【手続補正９】
【補正対象書類名】明細書
【補正対象項目名】００７０
【補正方法】変更
【補正の内容】
【００７０】
本発明の別の特に好ましい実施形態を、以下の表６Ｂに詳述する。
【手続補正１０】
【補正対象書類名】明細書
【補正対象項目名】０１５２
【補正方法】変更
【補正の内容】
【０１５２】
１つの現在好ましい実施形態では、調合物を、悪臭に向かって噴霧するか、悪臭の周辺にエアゾールとして形成することができる。或いは、調合物を、液体形態で悪臭生成材料に適用するか、悪臭ガスに接触させることができる。本発明の組成物の更なる用途には、以下が含まれる。
農産物（１２）
ブロイラー鶏舎の初期処置
禽舎の内部環境の制御
家屋の仕上げ処理
１１日目に処理するための禽舎の内部環境の制御
ブロイラーリターの処理
放牧の間のリターの殺菌剤による防腐処理（Ｇ）
ブロイラーの外部処理
畜舎外部の肥料及び臭気の処理
産卵鶏舎の処理
禽舎内部環境の制御
産卵鶏リター処理
バッテーリーケージリターの殺菌処理
産卵鶏外部処理
畜舎外部の臭気及び肥料の処理
ブタの保育器及び処分装置の処理
豚舎内部環境の制御
養豚場外部処理
外部の酸化及びスラリー制御
ウシ閉じ込め飼育場の処理
肉牛フィードロット牛舎環境の制御
酪農場の廃液及び灌漑処理
搾乳小屋の汚水及び池の処理
環境製品／工業製品
重工業の排ガス制御；Ｈ2Ｓ、ＳＯ2、ＣＯ2、ＣＯ、ＮＯの除去（Ｇ）
液体及び汚水の処理
酸化池、浄化槽、廃液、汚泥ピット
皮なめし工場及び裸皮の処理
皮革処理排出物の制御
臓物、動物飼料精製工場、及び精肉工場
排出物制御
パルプ工場及び製紙工場の処理
外部浸漬池及び酸化池の臭気制御
パルプ工場及び製紙工場の処理、ファイバーセメントボードの有毒排出物処理
食品工場及び缶詰工場の処理
外部処理「スティック」池の制御
食品工場及び缶詰工場の処理
臭気放出物の制御
調理、ボイルによる広範な臭気
大規模歩行者専用道路区域
微生物、病原体、又は毒素の除去
空調機器の微生物制御
病院、商業ビル、家屋の有害な細菌及び院内病原体の除去
無微生物にし、化学物質、微生物、及び粒子状物質の除去を補助するための織物及びフィルタ材料への適用
食品加工工場の衛生処理
細菌、特にリステリア菌の除去
国境地帯のバイオセキュリティの制御
空港及び海港の燻蒸及び除染
（航空便及び船便の容器）
地下鉄の空気再循環処理
炭素微粒子ＣＯ2、Ｈ2Ｓ、及びＣＯの除去
旅客機の空調設備の病原菌の殺菌処理（公共交通車両（バス、電車）による輸送が含まれる）
表面衛生処理
細菌汚染表面、装置、及び施設から細菌を排除するための院内での商業的使用
仮設トイレの殺菌処理
細菌及び臭気の除去
発生したカビの除去（商業的／個人）
発生したカビ及び酵母の排除
住居及び商業用不動産を覆うカビ（真菌）処理ための商業的適用
（内部木造骨組み、内部サービス、被覆加工、及び保険業務（「水漏れしている建物」））
発生したカビ及び酵母の排除
家庭内で使用するための消費者用製品
カーペットのカビの防止及び除去
商業的適用のための特定のカーペット処理
カーペットのカビの防止及び除去
家庭内で使用するための消費者用製品
人造壁板製品のカビの処理
カビ発生を防止するための壁紙貼り及び塗装（アクリル系）前の前処理
医療用及び個人の医療製品
これらには、ヒトの医学的／外科的局所消毒／殺菌での用途、医学的／手術用機器の滅菌及び殺菌での使用、動物の医学的／外科的局所消毒／殺菌／滅菌での用途、ヒト局所創傷／びらん／潰瘍の殺菌／抗菌のための適用、ヒト局所殺真菌（例えば、足指及び手の指の爪の感染）、殺菌石鹸液、手術前外科用洗浄液、及び手術器具の滅菌剤（殺菌の対照物）が含まれる。
滅菌外科手術用フェイスマスク及び使い捨てガーメント
マスク、帽子、履物、及び使い捨てクロークの細菌からの保護
抗菌及び感染防御マスク
救急機関、救急車、救急医療、消防機関、遺体安置所、葬儀場、及び警察機関のために特別にパッケージングされた抗菌及び臭気防御フェイスマスク
火災による煙の吸入防止マスク
家屋の火災及び高層ビルのテナント由来の煙の吸入を軽減するためのフェイスマスク
タンポン（毒素性ショック症候群の防止）、生理用ナプキン
高齢者介護及び生活環境
保養所及び老人医療／病院における「生活」臭の除去及び潜在的な細菌感染からの防御のための脱臭噴霧アプリケータ
痩造設術製品の細菌及び臭気の排除
痩孔及び失禁用衣類の不快な臭気及び細菌感染の除去
痩造設術用衣類の交換における個人使用のための噴霧パック
抗生物兵器−化学兵器テロリスト／戦争兵器（すなわち、炭疽菌）
商業ビルの空調設備
商業的アプリケータ製品
再充填式ガスボトル消化器
（商業事務所、大規模団地、及び家屋用）
消費者用エアゾールキャニスタ
（家庭及び「隠し部屋」作製用）
生物的及び化学的攻撃／戦争兵器表面の除染洗浄物
商業的液体スプレー及び攻撃後の除染適用
商業用及び消費者用（ＦＭＣＧ）製品
ＲＥＳ病院及び保養所における失禁臭気処理
アクリル系塗料の臭気除去のための添加物
臭気防止及び空気清浄のための噴霧及びエアゾール
トイレ周囲の液体洗浄薬
殺菌ワイプ
足の臭い−靴の中敷きの処理
家具用織物、掛け布、及びカーペットの清浄剤
ボート及び娯楽用船舶（腐敗物保持タンクの処理）
航海用トイレ／便所の事前の調節
冷蔵庫内の空気洗浄及び細菌の除染
ペットグッズ
獣医クリニックの抗菌表面処理
犬舎及び寝具の臭気の防止及び排除
ネコ用トイレの臭気排除剤
ペット用の臭気排除剤及び防止スプレー
市販用の製品／応接製品／ドライクリーニング製品
ホテル、レストラン、バー、及びカジノの空調処理
商業施設の紙巻きタバコ及び葉巻の煙、臭気、及び微粒子状物質の排除
自社ブランドのエアゾール、空調製品、インストーラー、及びサービス業務（例えば、キャリア、スコープ、ミツビシ(Mitsubishi)など）
保険商品、ドライクリーニング製品
火災の煙の被害を受けた衣類由来の煙の臭気の除去
消費者用エアゾールスプレー
紙巻きタバコ及び葉巻の煙の臭気の排除
空気清浄ユニット
本発明の組成物−Ｓ＊フィルタによる大気を循環させる独立型空気清浄ユニット。タバコの煙、粒子状物質、及び病原体の除去。独自開発のディスペンサによって再充填されるユニット。
【手続補正１１】
【補正対象書類名】図面
【補正対象項目名】図４
【補正方法】変更
【補正の内容】
【図４】
2008536662.tif 000030
【国際調査報告】
2008536662.tif 000031